(57)【要約】【課題】自分の撮像記録装置を手渡すことなく、自身の撮影映像を自分の撮像記録装置に記録することを可能とする。【解決手段】撮影、送信側として、信号処理手段２で撮影した映像に所定の処理を施し、その出力信号をバッファメモリ３に一旦蓄える。バッファメモリ３に蓄えたデータを送受信手段７で送信し、終了した後、制御手段６の制御により、送信済みのデータをバッファメモリ３から削除する。一方、記録、受信側として、送受信手段７で送信されたデータを受信し、記録手段４で受信したデータを記録する。【選択図】図１
2005080067.tif 000002
【特許請求の範囲】
【請求項１】
撮影した映像に所定の処理を施す信号処理手段と、
前記信号処理手段の出力信号を一旦蓄えるメモリ手段と、
前記メモリ手段に蓄えたデータを送信する送信手段と、
前記送信手段による送信が終了した後、送信済みのデータを前記メモリ手段から削除する制御手段とを備えた撮像装置。
【請求項２】
前記送信手段は、受信側との間で通信路を確保した後に送信を行うことを特徴とする請求項１記載の撮像装置。
【請求項３】
前記メモリ手段に蓄えるデータを暗号化する暗号化手段を備え、前記送信手段は、暗号化されたデータを送信することを特徴とする請求項１または２記載の撮像装置。
【請求項４】
請求項１または２に記載された撮像装置から送信されたデータを受信する受信手段と、
前記受信手段からのデータを記録する記録手段とを備えた記録装置。
【請求項５】
請求項３に記載された撮像装置により送信されたデータを受信する受信手段と、
前記受信手段により受信した暗号化されたデータを復号する復号化手段と、
前記復号化手段からのデータを記録する記録手段とを備えた記録装置。
【発明の詳細な説明】
【技術分野】
【０００１】
本発明は、撮影した映像を他の機器との間で送受信可能な撮像装置及び記録装置に関するものである。
【背景技術】
【０００２】
旅行先やイベントなどで、自分自身の記念写真やビデオの撮影を他人に依頼することが良く見受けられる。この場合、自分自身のカメラやムービー等の機器を相手に渡して、撮影してもらうのが通常である。しかしながら、治安が悪くて自分の機器を相手に手渡すのが物騒な場合もあるし、撮影を依頼した相手が機器の操作に習熟しておらず、うまく使いこなせない場合もある。
【０００３】
これに対して、タイマーやリモコンによって機器を操作し、自分自身を撮るセルフ撮影を利用する方法もある。しかしながら、セルフ撮影を行う場合は、構図や画角など満足のいく撮影をするには、かなりの手間を要する。これを解決し、時間をかけずに満足のいく画角調整を行うことを目的とした撮像装置としては、特許文献１がある。
【特許文献１】特開２００１−９４８５９号公報
【発明の開示】
【発明が解決しようとする課題】
【０００４】
しかしながら、上述の従来技術では、満足のいくセルフ撮影を行うには、数回の撮影が必要であり、自分の機器を相手に渡して撮影してもらうのに比べて、やはり手間を要するものである。また、治安の悪い場所では、セルフ撮影のために機器から離れるのも好ましくない場合もある。
【０００５】
本発明は、上記問題点を解決するために、相手の機器で撮影してもらった画像データを自分の機器に取り込み記録することが可能な撮像装置及び記録装置を提供することを目的とする。
【課題を解決するための手段】
【０００６】
上記課題を解決するために本発明の撮像装置は、撮影した映像に所定の処理を施す信号処理手段と、信号処理手段の出力信号を一旦蓄えるメモリ手段と、メモリ手段に蓄えたデータを送信する送信手段と、送信手段による送信が終了した後、送信済みのデータをメモリ手段から削除する制御手段とを備え、また、本発明の記録装置は、本発明の撮像装置から送信されたデータを受信する受信手段と、受信手段からのデータを記録する記録手段とを備える。
【発明の効果】
【０００７】
以上のように本発明に係る撮像装置及び記録装置によれば、相手に自分の機器を渡すこと無く相手の撮像装置での撮影を依頼し、その結果を送信手段と受信手段とで自分の記録装置に転送してもらうことができ、しかも、見ず知らずの他人である相手の撮像装置には、自分自身の撮影データを残さないので、プライバシーや肖像権等の心配をする必要もなく、自身の撮影データを得ることができる。
【発明を実施するための最良の形態】
【０００８】
本発明の請求項１にかかる撮像装置は、撮影した映像に所定の処理を施す信号処理手段と、前記信号処理手段の出力信号を一旦蓄えるメモリ手段と、前記メモリ手段に蓄えたデータを送信する送信手段と、前記送信手段による送信が終了した後、送信済みのデータを前記メモリ手段から削除する制御手段とを備えるものである。
【０００９】
また、請求項２にかかる撮像装置は、上記請求項１にかかる発明において、前記送信手段は、受信側との間で通信路を確保した後に送信を行うものである。
【００１０】
また、請求項３にかかる撮像装置は、上記請求項１または２にかかる発明において、前記メモリ手段に蓄えるデータを暗号化する暗号化手段を備え、前記送信手段は、暗号化されたデータを送信するものである。
【００１１】
また、本発明の請求項４にかかる記録装置は、上記請求項１または２にかかる発明の撮像装置から送信されたデータを受信する受信手段と、前記受信手段からのデータを記録する記録手段とを備えたものである。
【００１２】
また、請求項５にかかる記録装置は、上記請求項３にかかる発明の撮像装置により送信されたデータを受信する受信手段と、前記受信手段により受信した暗号化されたデータを復号する復号化手段と、前記復号化手段からのデータを記録する記録手段とを備えたものである。
【００１３】
以下、本発明の実施の形態について、図面を用いて説明する。
【００１４】
（実施の形態１）
図１は、本発明の実施の形態１による撮像記録装置の構成を示すブロック図である。本実施の形態の撮像記録装置は、撮像装置としての機能と記録装置としての機能とを持ち合わせたものとして説明するが、何れか一方の機能のみを備えた装置であっても良い。
【００１５】
図１において、１０は本実施の形態による撮像記録装置であり、１は光学系レンズや撮像素子などから成る撮像手段、２は撮像手段１で得られた映像信号に所望の信号処理を施す信号処理手段、３は信号処理手段２で必要なデータや出力データを一時的に蓄えるためのメモリ手段としてのバッファメモリ、４は信号処理手段２で得られた情報を半導体メモリカードなどの記録媒体に記録する記録手段、５は本装置を操作するための操作手段、６は本装置内の各手段を制御する制御手段、７は信号処理手段２で得られた情報を送信し受信した情報を記録手段４で記録する送受信手段である。
【００１６】
本実施の形態による撮像記録装置１０は、以下の説明において便宜上、デジタルスチルカメラとして説明する。従って、操作手段５にはシャッターボタンなどが含まれ、信号処理手段２は、静止画を扱う圧縮処理を施す手段が含まれる。また、本実施の形態の撮像記録装置１０が、デジタルムービーであれば、信号処理手段２には、動画を扱う圧縮処理を施す手段が含まれ、記録手段４は半導体メモリカード、光ディスク、磁気記録媒体などの記録媒体を扱う手段となる。
【００１７】
撮像記録装置１０のユーザーが自分自身の写真を誰かに撮ってもらいたい場合、ユーザーは撮像記録装置１０と同様の装置または少なくとも撮像装置としての機能を有する装置をもった人を探し、撮影を依頼する。
【００１８】
図２は、撮影を依頼された人（被依頼者）が有する撮像記録装置１０の動作を示すフローチャートであり、送信側あるいは撮影側の機器としての動作を示している。また、図３は、撮影を依頼した人（依頼者）が有する撮像記録装置１０の動作を示すフローチャートであり、受信側あるいは記録側の機器としての動作を示している。
【００１９】
撮影を頼まれた被依頼者は、自身の撮像記録装置１０の操作手段５を操作し、撮影したデータを依頼者側の撮像記録装置１０に転送するモード（以下、撮影転送モード）に設定する（図２のステップ２０）。そして、ステップ２１において、依頼者側の装置（受信側）との間で通信路あるいはリンクを確保する処理を実施する。これらの処理は、制御手段６、送受信手段７によって行われ、送受信する方式の定めに則り実行される。受信側と通信路が確保されると、ステップ２２に移り、撮影処理が行われる。この撮影処理は、撮像手段１、信号処理手段２、バッファメモリ３を用いて実行される。記録可能な状態のデータは、記録手段４に出力されることなく、バッファメモリ３に蓄えられる。次にステップ２３において、バッファメモリ３に蓄えられたデータが制御手段６を介し送受信手段７から送信される。
【００２０】
次に、ステップ２４において、送信が終了したかどうかを判断し、未終了であればステップ２３を繰り返し、送信が終了するとステップ２５に移行する。ステップ２５では、バッファメモリ３の内容（送信済みのデータ）を消去する。次に、ステップ２６で撮影を終了するかどうかを判断する。この判断は、例えば、ステップ２０で設定した撮影転送モードの解除を検知するか、再度シャッターボタンが押されたかを検知するなどで判断することができる。撮影が継続する場合は、ステップ２２に戻り、ステップ２２〜２６を繰り返す。ステップ２６において、撮影の終了と判断されると、ステップ２７に移行し、通信路の開放と撮影転送モードの解除を行う。
【００２１】
一方、撮影を頼んだ依頼者は、自身の撮像記録装置１０の操作手段５を操作し、撮影されたデータを被依頼者側の撮像記録装置１０から受信するモード（以下、撮影受信モード）に設定する（図３のステップ３０）。そして、ステップ３１において、被依頼者側の装置（送信側）との間で通信路あるいはリンクを確保する処理を実行する。これらの処理は、制御手段６、送受信手段７によって行われる。送信側と通信路が確保されると、ステップ３２に移行し、データの受信処理が行われ、引き続きステップ３３でデータの記録処理が行われる。この処理は、送受信手段７でデータを受信し、記録手段４により記録するものであるが、一旦バッファメモリ３に蓄えた後、記録手段４にデータを送る様に構成してもよいし、パケットなどの所定の単位毎に記録手段４に直接データを送る様に構成してもよい。
【００２２】
次に、ステップ３４において、送信側からのデータ転送が終了したかどうかを判断する。例えば、転送ファイルの最後が識別可能なフラグを受信することで判断する。引き続きデータ転送が有るようであれば、ステップ３２に戻り、ステップ３２，３３を繰り返す。ステップ３４において、転送の終了と判断された場合は、ステップ３５に移行し、通信路の開放と撮影受信モードの解除を行う。
【００２３】
以上のように、図２に示した送信側での処理と、図３に示した受信側での処理を実行することで、被依頼者が自身の装置で撮影したデータが、依頼者の撮像記録装置１０に転送され記録保存される。また、被依頼者側の撮像記録装置１０は、データを転送した時点でデータを消去するので、他人のデータが残ることがないので、お互いに安心して撮影することができる。
【００２４】
なお、上述の被依頼者側（送信側）の撮像記録装置１０において、撮影内容を残さないための仕組みは、バッファメモリ３の様に一時的に配置し、メモリカードなどの記録媒体に記録を残さないというものでも良いし、記録手段４で一時的に記録する場合は暗号化して記録するというものでも構わない。また、撮像記録装置１０がムービーなどの場合、撮影内容をテープなどに記録せず、必要最小限なデータのみをバッファリングして、リアルタイムに受信側の機器に送信する方法もある。
【００２５】
また、送受信の方法も、電波や赤外線などの無線、あるいは有線など様々な手段、規格、手法、プロトコルの利用が考えられ、これらを特定する必要はない。
【００２６】
また、撮影転送モードや撮影受信モードを個々に設定・解除するものとしたが、一方の設定・解除のみで他方のモードを自動的に設定・解除するように構成することもできるし、送信側または受信側が常に送信または受信するような状態にしても構わない。
【００２７】
（実施の形態２）
図４は、本発明の実施の形態２による撮像記録装置の構成を示すブロック図である。図１に示した撮像記録装置との相違は、信号処理手段２とバッファメモリ３との間に暗号化・復号化手段を設けた点である。その他、図１に示した撮像記録装置と同じ構成要素には同じ符号を付し、その説明は省略する。
【００２８】
図４において、１１は本実施の形態による撮像記録装置であり、８はバッファメモリ３に読み書きするデータを暗号化および／または復号化する暗号化・復号化手段である。
【００２９】
以上のように構成された本実施の形態による撮像記録装置の動作について、図５及び６を用いて説明する。
【００３０】
図５は、撮影を依頼された人（被依頼者）が有する撮像記録装置１１の動作を示すフローチャートであり、送信側あるいは撮影側の機器としての動作を示している。また、図６は、撮影を依頼した人（依頼者）が有する撮像記録装置１１の動作を示すフローチャートであり、受信側あるいは記録側の機器としての動作を示している。
【００３１】
撮影を頼まれた被依頼者は、自身の撮像記録装置１１の操作手段５を操作し、撮影したデータを依頼者側の撮像記録装置１１に転送するモード（以下、撮影転送モード）に設定する（図５のステップ５０）。そして、ステップ５１において、依頼者側の装置（受信側）との間で通信路あるいはリンクを確保する処理を実施する。これらの処理は、制御手段６、送受信手段７によって行われ、送受信する方式の定めに則り実行される。受信側と通信路が確保されると、ステップ５２に移行し、暗号化、復号化する際に用いる暗号鍵のやり取りを行う。ここで、暗号鍵は、例えば送信側の制御手段６で生成し、受信側に送信する。鍵の転送が完了すると、ステップ５３、５４に移り、撮影処理および暗号化処理が行われる。この撮影処理は、撮像手段１、信号処理手段２、暗号化・復号化手段８、バッファメモリ３を用いて実行される。記録可能な状態のデータは、記録手段４に出力されることなく、バッファメモリ３に暗号化された状態で蓄えられる。次にステップ５５において、バッファメモリ３に蓄えられた暗号化されたデータが制御手段６を介して送受信手段７から送信される。
【００３２】
次に、ステップ５６において、送信が終了したかどうかを判断し、未終了であればステップ５５を繰り返し、送信が終了するとステップ５７に移行する。ステップ５７では、バッファメモリ３の内容を消去する。次に、ステップ５８で撮影を終了するかどうかを判断する。この判断は、例えば、ステップ５０で設定した撮影転送モードの解除を検知するか、再度シャッターボタンが押されたかを検知するなどで判断することができる。撮影が継続する場合は、ステップ５３に戻り、ステップ５３〜５７を繰り返す。ステップ５８において、撮影の終了と判断されると、ステップ５９に移行し、通信路の開放と撮影転送モードの解除を行う。
【００３３】
一方、撮影を頼んだ依頼者は、自身の撮像記録装置１１の操作手段５を操作し、撮影されたデータを被依頼者側の撮像記録装置１１から受信するモード（以下、撮影受信モード）に設定する（図６のステップ６０）。そして、ステップ６１において、被依頼者側の装置（送信側）との間で通信路あるいはリンクを確保する処理を実行する。これらの処理は、制御手段６、送受信手段７によって行われる。送信側と通信路が確保されると、ステップ６２に移行し、暗号化、復号化する際に用いる暗号鍵のやり取りを行う。ここで、暗号鍵を受信するとステップ６３に移行し、データの受信処理が行われ、引き続きステップ６４でデータの復号化処理、ステップ６５でデータの記録処理が行われる。この処理は、送受信手段７でデータを受信し、暗号化・復号化手段８で暗号鍵により復号し、記録手段４により記録するものであるが、一旦バッファメモリ３に蓄えた後、記録手段４にデータを送る様に構成してもよいし、パケットなどの所定の単位毎に記録手段４に直接データを送る様に構成してもよい。
【００３４】
次に、ステップ６６において、送信側からのデータ転送が終了したかどうかを判断する。例えば、転送ファイルの最後が識別可能なフラグを受信することで判断する。引き続きデータ転送が有るようであれば、ステップ６３に戻り、ステップ６３〜６５を繰り返す。ステップ６６において、転送の終了と判断された場合は、ステップ６７に移行し、通信路の開放と撮影受信モードの解除を行う。
【００３５】
以上のように、図５に示した送信側での処理と、図６に示した受信側での処理を実行することで、被依頼者が自身の装置で撮影したデータが、依頼者の撮像記録装置１１に転送され記録保存される。また、被依頼者側の撮像記録装置１１は、データを転送した時点でデータを消去するので、他人のデータが残ることがないので、お互いに安心して撮影することができる。さらに、送信側のバッファメモリ３に一旦蓄えるデータも暗号化されており、被依頼者は、このデータを直接利用できないため、データの安全性が向上する。
【００３６】
（実施の形態３）
図７は、本発明の実施の形態３による撮像記録装置の構成を示すブロック図である。図４に示した撮像記録装置との相違は、暗号化・復号化手段８で用いる暗号鍵を送受信するための暗号鍵送受信手段を別途設けた点である。その他、図４に示した撮像記録装置と同じ構成要素には同じ符号を付し、その説明は省略する。
【００３７】
図７において、１２は本実施の形態による撮像記録装置であり、９は暗号鍵送受信手段である。
【００３８】
以上のように構成された本実施の形態による撮像記録装置の動作について、説明する。本実施の形態では、暗号鍵送受信手段９を設けることにより、暗号化鍵をデータとは異なる送受信方式で行うことが可能となる。例えば、データは送受信手段７で無線により行い、暗号鍵は暗号鍵送受信手段９で赤外線や有線により行う。この場合、暗号鍵の送受信を行う場合には、撮像記録装置１２をある程度近づけたり、直接に接続しないと通信ができないので、周辺にたまたま存在する他の機器に暗号鍵が伝送されることがなく、データの送受信の安全性が更に向上する。
【産業上の利用可能性】
【００３９】
本発明にかかる撮像装置及び記録装置は、相手の撮像装置で自身の撮影を依頼し、その結果を自分の記録装置に転送してもらうことができ、しかも、相手の撮像装置には自分自身の撮影データを残さないので、プライバシーや肖像権等の心配をする必要もなくなるという効果を有し、撮影した映像を他の機器との間で送受信可能なデジタルスチルカメラ、ムービー、カメラ付き携帯電話等の撮像装置及び記録装置として有用である。
【図面の簡単な説明】
【００４０】
【図１】本発明の実施の形態１による撮像記録装置の構成を示すブロック図
【図２】同撮像記録装置の送信側の動作を説明するフローチャート
【図３】同撮像記録装置の受信側の動作を説明するフローチャート
【図４】本発明の実施の形態２による撮像記録装置の構成を示すブロック図
【図５】同撮像記録装置の送信側の動作を説明するフローチャート
【図６】同撮像記録装置の受信側の動作を説明するフローチャート
【図７】本発明の実施の形態３による撮像記録装置の構成を示すブロック図
【符号の説明】
【００４１】
１    撮像手段
２    信号処理手段
３    バッファメモリ
４    記録手段
５    操作手段
６    制御手段
７    送受信手段
８    暗号化・復号化手段
９    暗号鍵送受信手段
【図１】
2005080067.tif 000003
【図２】
2005080067.tif 000004
【図３】
2005080067.tif 000005
【図４】
2005080067.tif 000006
【図５】
2005080067.tif 000007
【図６】
2005080067.tif 000008
【図７】
2005080067.tif 000009